(57)【特許請求の範囲】
【請求項１】
排水機能を備えた対象物が設置される設置領域と、この設置領域内に形成されて前記対象物からの排水を受け入れる排水口とを備えた洗面室ユニット用床部材において、
前記設置領域に前記排水口を隠蔽する蓋部材が装着され、この蓋部材は、前記設置領域に対象物を置いた状態で脱着自在に設けられるとともに、前記設置領域に装着された状態で当該設置領域の外側に突出する延長部分を有し、この延長部分の上部側に床パネル形成部材が着脱自在に装着されることを特徴とする洗面室ユニット用床部材。
【請求項２】
排水機能を備えた対象物が設置される設置領域と、この設置領域内に形成されて前記対象物からの排水を受け入れる排水口とを備えた洗面室ユニット用床部材において、
前記設置領域に前記排水口を隠蔽する蓋部材が装着され、この蓋部材は、前記設置領域に対象物を置いた状態で脱着自在に設けられるとともに、前記蓋部材には、隣り合う位置に着脱自在に装着される床パネル形成部材の脱着を兼ねた脱着用の指掛け部が形成されていることを特徴とする洗面室ユニット用床部材。
【発明の詳細な説明】
【０００１】
【発明の属する技術分野】
本発明は洗面室ユニット用床部材に係り、更に詳しくは、洗濯機等の対象物の設置領域内に形成された排水口を蓋部材でカバーすることができ、しかも、この蓋部材の脱着を設置領域に対象物が置かれた状態で行うことのできる洗面室ユニット用床部材に関する。
【０００２】
【従来の技術】
近時における住宅には、洗面室をユニット化した洗面室ユニットが多く用いられている。この洗面室ユニットのフロア構造としては、例えば、図７に示されるように、洗濯機Ｗの設置領域Ａ１内の排水口７３に設けられた排水トラップ７２のエルボ７２Ａに、洗濯機Ｗの排水ホースＨが接続されるタイプのものが知られている。ここで、排水口７３は、排水ホースＨとの接続部分からの排水漏れが生じたときにこの漏れた排水によって床面Ｆが濡れないようにすると共に、排水口７３にエルボ７２Ａを備えた排水トラップ７２を設けた場合に、このエルボ７２Ａと洗濯機Ｗの底部との接触を避ける等の理由により、当該床面Ｆよりも落ち込んだ凹部７４内に形成されており、この凹部７４は、洗濯機Ｗの脚部Ｗ１が載らない設置領域Ａ１の略中央位置に設けられている。更に、図７に示されるタイプの場合、設置領域Ａ１の隣接領域Ａ２が浴室出入口側となり、当該隣接領域Ａ２には、簀子７５が着脱自在に装着される構造になっている。
【０００３】
【発明が解決しようとする課題】
しかしながら、前記洗面室ユニットＵにあっては、洗濯機Ｗを設置領域Ａ１に置いたときに、排水口７３が洗濯機Ｗの底部略中央に相対する位置で隠された状態となっているが、前記脚部Ｗ１を除く洗濯機Ｗの底部と床面Ｆとの間には小さな隙間が存在するため、当該隙間の外側から侵入した埃やゴミ等が凹部７４内に溜まり易くなるという不都合がある。この点、凹部７４の上端側に所定の蓋体を被せることで、凹部７４内への埃やゴミの侵入を防止することも可能であるが、この場合は、前記蓋体が洗濯機Ｗの底部略中央に相対する位置に存在することになるため、設置領域Ａ１に洗濯機Ｗを置いたままでは、前記蓋体の脱着を簡単に行うことができない。このため、排水口７３の掃除や点検等のメンテナンス作業を行う際には、洗濯機Ｗを設置位置Ａ１から移動し、前記メンテナンス作業終了後に、再び洗濯機Ｗを元の位置に戻す面倒な移動作業が必要になるという不都合を招来する。
【０００４】
また、前記簀子７５は、面方向の位置ずれを防止するために、周囲の床面Ｆとの間に隙間を殆ど生じさせずに略ぴったりと装着されるようになっている。このため、簀子７５の下側に形成された点検口７７や排水口７８のメンテナンス作業を行う場合、装着状態の簀子７５の取り外しが困難になるという不都合もある。
【０００５】
【発明の目的】
本発明は、このような不都合に着目して案出されたものであり、その目的は、排水口の周りに埃やゴミ等を溜まり難くすることができ、且つ、排水口のメンテナンス作業時に洗濯機等の対象物を設置領域の内外間で移動する手間を省くことができる洗面室ユニット用床部材を提供することにある。
【０００６】
また、本発明の他の目的は、前記設置領域の隣接領域に装着される床パネル形成部材の脱着を簡単に行うことができる洗面室ユニット用床部材を提供することにある。
【０００７】
【課題を解決するための手段】
前記目的を達成するため、本発明は、排水機能を備えた対象物が設置される設置領域と、この設置領域内に形成されて前記対象物からの排水を受け入れる排水口とを備えた洗面室ユニット用床部材において、
前記設置領域に前記排水口を隠蔽する蓋部材が装着され、この蓋部材は、前記設置領域に対象物を置いた状態で脱着自在に設けられるとともに、前記設置領域に装着された状態で当該設置領域の外側に突出する延長部分を有し、この延長部分の上部側に床パネル形成部材が着脱自在に装着される、という構成を採っている。このような構成によれば、排水口が蓋部材で隠蔽されるため、排水口の周りに埃やゴミ等を溜まり難くすることができるとともに、設置領域に洗濯機等の対象物を置いた状態で蓋部材の脱着が可能になるため、排水口のメンテナンス作業時に前記対象物を設置領域の内外間で移動する手間を省くことができる。また、蓋部材が設置領域に装着されたときに床パネル形成部材が延長部分に載ることになるため、蓋部材の不用意な浮上を規制することができる他、床パネル形成部材を取り外したときに、延長部分を蓋部材の掴み代とすることで蓋部材の脱着を一層容易に行うことができる。
【００１１】
また、本発明は、排水機能を備えた対象物が設置される設置領域と、この設置領域内に形成されて前記対象物からの排水を受け入れる排水口とを備えた洗面室ユニット用床部材において、
前記設置領域に前記排水口を隠蔽する蓋部材が装着され、この蓋部材は、前記設置領域に対象物を置いた状態で脱着自在に設けられるとともに、前記蓋部材には、隣り合う位置に着脱自在に装着される床パネル形成部材の脱着を兼ねた脱着用の指掛け部が形成される、という構成も採用することができる。このような構成によれば、指掛け部を用いることで蓋部材の脱着を楽に行うことができる他、指掛け部に隣り合う位置に前記床パネル形成部材を略ぴったりと嵌め込んだときには、前記指掛け部を用いて床パネル形成部材の脱着をも楽に行うことができる。
【００１２】
【実施例】
以下、本発明の実施例について図面を参照しながら説明する。
【００１３】
図１には、本実施例に係る洗面室ユニット用床部材の一部概略斜視図が示されている。また、図２には、図１の要部分解斜視図が示され、図３には、図２の一部を分解した概略斜視図が示されている。これらの図において、床部材１０は、洗面室ユニットＵの床面領域を形成する部材として設けられており、排水機能を備えた対象物としての洗濯機Ｗを設置可能とする設置領域Ａ１と、この設置領域Ａ１及び浴室出入口に隣接する出入口側領域Ａ２と、これら各領域Ａ１，Ａ２の境界に跨った位置で脱着自在に装着される蓋部材１４と、各領域Ａ１，Ａ２と別体に設けられるとともに、当該各領域Ａ１，Ａ２を除く床面領域を形成する主領域Ａ３とを備えて構成されている。
【００１４】
前記設置領域Ａ１は、洗濯機Ｗの脚部Ｗ１の接地面となる上面１７と、この上面１７よりも下方に落ち込む凹部１８とを備えている。凹部１８は、蓋部材１４にカバーされない平面視略長方形状の中央部２０と、この中央部２０に連通するとともに、洗濯機Ｗからの排水を受け入れる排水口２２が形成された排水口形成部２４とにより構成され、これにより、凹部１８は平面視略Ｔ字状とされている。なお、凹部１８の深さは、特に限定されるものではないが、洗濯機Ｗの排水ホースＨを上面１７側にはみ出すことなく収容可能な大きさに設定されている。
【００１５】
前記中央部２０は、下方に向かって次第に内側に傾斜するテーパー面領域を含む第１内壁面２６と、この第１内壁面２６の下端側に位置する第１底面２７とを備えている。
【００１６】
前記排水口２２には、排水ホースＨが接続されるエルボ２３Ａを備えた排水トラップ２３が取り付けられており、この排水トラップ２３によって排水ホースＨからの排水を排水口２２内に案内するようになっている。
【００１７】
前記排水口形成部２４は、出入口側領域Ａ２側に開放するように延出するとともに、図３〜図５に示されるように、出入口側領域Ａ２側となる設置領域Ａ１の外周部分の図４中上下方向略中央位置に形成されている。この排水口形成部２４は、前記第１内壁面２６に連なって出入口側領域Ａ２側に向かって延びる一対の第２内壁面２９，２９と、当該第２内壁面２９，２９の下端側間に位置して第１底面２７と面一に連なるとともに、前記排水口２２が外方端側に形成された第２底面３０と、第２内壁面２９，２９の内側にそれぞれ添設されるとともに、上面１７よりも一段下がった段部３２を形成する片状の第１受部３３，３３とを備えて構成されている。
【００１８】
前記出入口側領域Ａ２は、図１〜図５に示されるように、蓋部材１４に隣り合う位置に脱着自在に装着される床パネル形成部材としての簀子１５と、この簀子１５を下方から支持する設置面３５と、この設置面３５よりも低い位置に形成された溝状の排水路３６と、この排水路３６と排水口形成部２４とを連通させるとともに、前記蓋部材１４の一部が装着される蓋装着溝３８とを備えて構成されている。
【００１９】
前記設置面３５は、前記排水路３６及び蓋装着溝３８を除く領域に分散して設けられるとともに、簀子１５の厚み程度分前記上面１７よりも低い位置、換言すれば、前記排水トラップ２３の上端位置よりも低い位置に形成されている。このため、設置面３５に簀子１５を載せたときには、当該簀子１５の上面が設置領域Ａ１側の上面１７及び主領域Ａ３側の上面と略面一となる。この際、簀子１５は、周囲に対して隙間無く略ぴったりと装着されるようになっている。なお、設置面３５のうち排水路３６に囲まれた浮島状部分３５Ａは、図示しない点検口を閉塞する着脱自在の蓋体の上面となっている。
【００２０】
前記排水路３６は、蓋装着溝３８側すなわち排水口２２側に向かう水勾配が形成されている。なお、特に限定されるものではないが、本実施例における排水路３６は、図４中左右方向に延びる同図中上下一対の主流路３６Ａ，３６Ａと、これら主流路３６Ａ，３６Ａ間を連結する複数の副流路３６Ｂとを備えて構成されている。主流路３６Ａ，３６Ａは、図４中右側から左側に向かって次第に下降する水勾配が形成される一方、副流路３６Ｂは、各主流路３６Ａ，３６Ａ間の中央付近から当該各主流路３６Ａ，３６Ａに向かって次第に下降する水勾配が形成されている。
【００２１】
前記蓋装着溝３８は、前記排水口形成部２４の第２内壁面２９，２９に連なって排水路３６側に向かって延びる一対の第３内壁面４２，４２と、当該第３内壁面４２，４２の下端側間に位置して前記第２底面３０と略面一に連なるとともに、排水路３６よりも若干落ち込んだ位置に設けられた第３底面４３と、第３内壁面４２，４２の内側にそれぞれ添設されるとともに、設置面３５よりも一段下がった段部４５を形成する片状の第２受部４６，４６とを備えて構成されている。各第２受部４６，４６における排水路３６側の端部には、第２受部４６，４６の上端面よりもやや上方に突出する突起４７，４７が設けられている。
【００２２】
前記蓋部材１４は、図３、図５及び図６に示されるように、前記本体１２に装着されたときに排水口２２を上方からカバー可能な形状、すなわち、前記排水口形成部２４及び蓋装着溝３８の各上端側に略ぴったりと装着することのできる側面視略クランク状に設けられている。この蓋部材１４は、その装着時に第１受部３３，３３の上端面間に掛け渡されて排水口２２の上方に位置する平面視略方形状の蓋本体５１と、この蓋本体５１の一端側から下方に垂下する垂下部５２と、この垂下部５２の下端側から蓋本体５１の反対側に向かって略水平に延びるとともに、第２受部４６，４６の上端面間に掛け渡される平面視略方形状の延長部分５３と、蓋本体５１の裏面側で垂下するとともに、蓋装着状態で第１受部３３，３３の間に位置する一対の片部材５５，５５とを備えて構成されている。
【００２３】
前記蓋本体５１は、排水口形成部２４側の段部３２の高さと略同一の厚みを有する平板状に設けられ、これによって、蓋部材１４の装着時において蓋本体５１の上面が周囲の上面１７に対して略面一となる。
【００２４】
前記垂下部５２には、蓋本体５１側に凹む二条の溝からなる指掛け部５７，５７が形成され、当該指掛け部５７，５７は、蓋本体５１の上方及び延長部分５３側から指掛け可能に設けられている。
【００２５】
前記延長部分５３は、前記第２受部４６，４６の上端面に下端面が係合する厚肉部５３Ａと、この厚肉部５３Ａの先端側に設けられるとともに、前記突起４７に係合する薄肉部５３Ｂとを備えている。厚肉部５３Ａの厚みは、蓋装着溝３８側の段部４５の高さと略同一に設定され、これによって、延長部分５３を第２受部４６，４６の上端面間に掛け渡すと、延長部分５３の上面が周囲の設置面３５に対して略面一となる。
【００２６】
蓋部材１４が定位置に嵌め込まれたときには、薄肉部５３Ｂと突起４７との係合、並びに、垂下部５２と第１受部３３の端面との係合によって、蓋部材１４の図４中左右方向の位置ずれが規制されることとなる。この際、蓋部材１４の図４中上下方向の位置ずれは、第２内壁面２９，２９の上端縁側と蓋本体５１の端面との係合、並びに、第３内壁面４２，４２の上端縁側と延長部分５３の端面との係合によって規制されることとなる。また、蓋部材１４が定位置に嵌め込まれたときには、延長部材５３の上部側に簀子１５が着脱自在に装着されて、蓋部材１４の浮き上がりを規制できるようになっている。従って、蓋部材１４の装着時における当該蓋部材１４の位置ずれを規制する位置ずれ規制手段は、第２及び第３内壁面２９，４２、第１及び第２受部３３，４６，突起４７、簀子１５、及びそれらに係合する蓋部材１４の各部分によって構成される。また、蓋部材１４が定位置に嵌め込まれた状態では、図２及び図５に示されるように、延長部分５３の下方に隙間が形成され、この隙間が排水路３６から排水口２２への排水を許容する通路６０となる。
【００２７】
以上のように構成した床部材１０における蓋部材１４は、設置領域Ａ１に洗濯機Ｗを置いた状態で、以下のように脱着される。
【００２８】
すなわち、図１に示される状態から、先ず、簀子１５を取り外して、図２に示されるような状態とする。この際、蓋部材１４と簀子１５との境界部分に形成された指掛け部５７に指を入れて簀子１５を持ち上げるとよい。そして、当該指掛け部５７に指を掛け、若しくは、通路６０内に指を入れて延長部分５３を直接掴んで、当該延長部分５３側をやや上方に持ち上げて突起４７と薄肉部５３Ｂとの係合を解除し、蓋部材１４を設置領域Ａ１から離れる方向に向かってスライドさせながら取り外す。この際、蓋本体５１が出入口側領域Ａ２に向かって若干上方に傾斜する姿勢となるが、当該蓋本体５１は、洗濯機Ｗの脚部Ｗ１，Ｗ１の間に位置するため、洗濯機Ｗの底部と上面１７との間に若干存在する隙間によって洗濯機Ｗの底部に干渉することなく出入口側領域Ａ２側に引き出し可能になる。そして、図３に示されるように蓋部材１４が取り外されると、洗濯機Ｗを置いたままでも出入口側領域Ａ２側から排水口２２にアクセス可能となる。この状態から、蓋部材１４を取り付けるには、洗濯機Ｗを動かさずに前述した動作と逆の動作によって行うことができる。このように、前記蓋部材１４は、設置領域Ａ１に洗濯機Ｗを置いた状態で脱着自在に設けられ、また、前記排水口２２は、蓋部材１４及び簀子１５を取り外すことにより出入口側領域Ａ２側からアクセス可能となる位置に設けられていることになる。
【００２９】
従って、このような実施例によれば、洗濯機Ｗを設置領域Ａ１から移動することなく排水口２２の掃除や点検等のメンテナンス作業を行うことが可能になるという効果を得る。
【００３０】
また、前記排水口２２が設置領域Ａ１内に形成されているため、出入口側領域Ａ２の設置面３５の高さを考慮して排水トラップ２３を低くする必要がなく、図示例のように、配管の取り回しが行い易い排水トラップ２３の高さとすることができる。
【００３１】
なお、本発明における排水口２２の位置は、簀子１５を取り外すことにより出入口側領域Ａ２側からアクセス可能となる位置に設けられる限りにおいて、種々の位置に形成可能である。例えば、前記実施例の位置よりも更に中央部２０寄りに形成することもできる。但し、前記実施例の位置が、前述したように排水トラップ２３を高くすることができ、しかも、洗濯機Ｗを動かさずに最も容易に排水口２２にアクセスすることのできる好適位置となる。
【００３２】
また、設置領域Ａ１に置かれる対象物として洗濯機Ｗを例示したが、本発明はこれに限らず、排水機能を備えた他の対象物、例えば、洗面化粧台等を適用することも可能である。
【００３３】
【発明の効果】
以上説明したように、本発明によれば、対象物の設置領域に前記排水口を隠蔽する蓋部材を装着し、設置領域に対象物を置いた状態で蓋部材を脱着自在に設けたから、排水口の周りに埃やゴミ等を溜まり難くすることができるとともに、排水口のメンテナンス作業時に前記対象物を設置領域の内外間で移動する手間を省くことができる。
【００３６】
また、前記設置領域に蓋部材が装着された状態で、設置領域の外側に突出する延長部分を蓋部材に備え、延長部分の上部側に床パネル形成部材を着脱自在に装着したから、蓋部材の不用意な浮上を規制することができる他、延長部分を蓋部材の掴み代とすることもできる。
【００３７】
更に、前記蓋部材に指掛け部を形成したから、指掛け部を用いることで蓋部材の脱着を楽に行うことができる他、指掛け部に隣り合う位置に前記床パネル形成部材を略ぴったりと嵌め込んだときには、前記指掛け部を用いて床パネル形成部材の脱着をも楽に行うことができる。
【図面の簡単な説明】
【図１】本実施例に係る洗面室ユニット用床部材の一部概略斜視図。
【図２】図１の要部分解斜視図。
【図３】図２の一部を分解した概略斜視図。
【図４】図３の概略平面図。
【図５】（Ａ）は、図２のＡ−Ａ線矢視拡大断面図であり、（Ｂ）は、図２のＢ−Ｂ線矢視拡大断面図である。
【図６】（Ａ）は、蓋部材の拡大斜視図であり、（Ｂ）は、（Ａ）をＣ方向から見た図である。
【図７】従来例に係る洗面室ユニット用床部材の一部概略斜視図。
【符号の説明】
１０・・・床部材、１４・・・蓋部材、１５・・・簀子（床パネル形成部材）、２２・・・排水口、５３・・・延長部分、５７・・・指掛け部、Ａ１・・・設置領域、Ｕ・・・洗面室ユニット、Ｗ・・・洗濯機（対象物）
【図１】
0003589646.tif 000002
【図２】
0003589646.tif 000003
【図３】
0003589646.tif 000004
【図４】
0003589646.tif 000005
【図５】
0003589646.tif 000006
【図６】
0003589646.tif 000007
【図７】
0003589646.tif 000008